(57)【要約】    アクセスネットワークにおいて移動接続をプロビジョニングするためのシステム及び方法が記載されている。アクセスネットワークは、アクセスネットワークの外部にあるサービスセンタへのサービス接続を有する。この方法は、移動車両から、移動車両上のデバイスに対する接続要求の指示を受信することを含む。接続要求は、メディアアクセス制御（ＭＡＣ）アドレスを使用して、デバイスを識別する。この方法は、ＭＡＣアドレスに関連付けられたグローバル一意識別子（ＧＵＩＤ）を生成することと、ＧＵＩＤを含む第１のメッセージを、車両上のネットワークアクセス端末に送信することと、を含む。ネットワークアクセス端末は、トラフィック接続を介して接続要求をサービスセンタにリダイレクトする。リダイレクトされた接続要求は、ＧＵＩＤを含む。アクセスネットワークは、サービスセンタからデバイスに対するネットワークサービスの指示を受信し、指示は、ＧＵＩＤに基づいてデバイスを識別する。 【選択図】図３
2021531706.tif 000002
【特許請求の範囲】
【請求項１】
少なくとも１つの外部ネットワークへのトラフィック接続を有するネットワーク動作センタを含むアクセスネットワークにおいて移動接続をプロビジョニングする方法であって、前記アクセスネットワークは、前記アクセスネットワークの外部にあるサービスセンタへのサービス接続を有し、前記方法は、
移動車両上のネットワークアクセス端末から、前記移動車両上のデバイスに対する接続要求の指示を受信する工程であって、前記接続要求は、ＭＡＣ（メディアアクセス制御（media access control））アドレスを使用して前記デバイスを識別する、工程と、
前記ＭＡＣアドレスに関連付けられたＧＵＩＤ（グローバル一意識別子（globally unique identifier））を生成する工程と、
前記ネットワークアクセス端末に前記ＧＵＩＤを含む第１のメッセージを送信する工程であって、前記ネットワークアクセス端末は、前記トラフィック接続を介して前記接続要求を前記サービスセンタにリダイレクトし、前記リダイレクトされた接続要求は前記ＧＵＩＤを含む、工程と、
前記サービスセンタから、前記サービス接続を介して、前記デバイスに対する第１のネットワークサービスを示す第２のメッセージを受信する工程であって、前記第２のメッセージは、前記ＧＵＩＤに基づいて前記デバイスを識別する、工程と、
前記第２のメッセージに基づいて、前記デバイスに対する前記第１のネットワークサービスを提供するように、前記アクセスネットワークを構成する工程と、を含む方法。
【請求項２】
前記サービス接続を介して、前記ＧＵＩＤの指示、及び一組の車両データ項目を前記サービスセンタに送信することを更に含む、請求項１に記載の方法。
【請求項３】
前記一組の車両データ項目は、車両識別子、ルート識別子、隊列識別子、目的地、又は旅行期間のうちの１つ以上を含む、請求項２に記載の方法。
【請求項４】
前記第１のメッセージを送信する前に、前記ＧＵＩＤを暗号化することを更に含む、請求項１〜３のいずれか一項に記載の方法。
【請求項５】
前記第２のメッセージに少なくとも部分的に基づいて、前記ＧＵＩＤを前記ＭＡＣにマッピングすることを更に含み、前記アクセスネットワークを構成する工程は、前記ＭＡＣアドレスを使用して前記デバイスを識別する、前記デバイスに対する前記第１のネットワークサービスの指示を送信することを含む、請求項１〜４のいずれか一項に記載の方法。
【請求項６】
前記ＧＵＩＤ及び前記ＭＡＣアドレスをデータベースに記憶することを更に含み、前記ＧＵＩＤを前記ＭＡＣアドレスにマッピングすることは、前記データベースにアクセスすることを含む、請求項５に記載の方法。
【請求項７】
前記マッピングに基づいて、前記デバイスが前記アクセスネットワークに関連付けられた諸条件を受諾するために以前に使用されたかどうかを判定することと、
前記デバイスが前記諸条件を受諾するために以前に使用されたという判定に応じて、前記諸条件の受諾を要求することを控えることと、を更に含む、請求項６に記載の方法。
【請求項８】
前記接続要求を受信したことに応じて、かつ前記第１のメッセージを受信する前に、前記デバイスに対する第２のネットワークサービスを提供するように、前記アクセスネットワークを構成することを更に含み、前記第２のネットワークサービスは、前記第１のネットワークサービスとは異なる、請求項１〜７のいずれか一項に記載の方法。
【請求項９】
前記第２のネットワークサービスは、前記デバイスが前記サービスセンタと通信すること許可する、請求項８に記載の方法。
【請求項１０】
前記リダイレクトされた接続要求は、ポートリダイレクトメッセージである、請求項１〜９のいずれか一項に記載の方法。
【請求項１１】
前記サービス接続を介して前記サービスセンタに、前記移動車両に関連付けられた１つ以上の車両ステータス値を送信することを更に含む、請求項１〜１０のいずれか一項に記載の方法。
【請求項１２】
前記１つ以上の車両ステータス値は、位置、推定到着時間、推定残り時間、又は車両動作イベントの指示のうちの１つ以上を含む、請求項１１に記載の方法。
【請求項１３】
前記１つ以上の車両ステータス値を送信した後に、前記サービス接続を介して前記サービスセンタから、少なくとも前記デバイスに対してネットワークサービスを無効化する要求を受信することと、
前記要求を受信したことに応じて、前記アクセスネットワークを、少なくとも前記デバイスに対して前記ネットワークサービスを無効化するよう構成することと、を更に含む、請求項１１に記載の方法。
【請求項１４】
前記要求を受信したことに応じて、前記移動車両上の複数のデバイスに対して前記ネットワークサービスを無効化するよう前記アクセスネットワークを構成することを更に含む、請求項１３に記載の方法。
【請求項１５】
少なくとも１つの外部ネットワークへのトラフィック接続を有するネットワーク動作センタを含むアクセスネットワークにおいて移動接続をプロビジョニングするための装置であって、前記アクセスネットワークは、前記アクセスネットワークの外部にあるサービスセンタへのサービス接続を有し、前記装置は、
プロセッサと、
前記プロセッサと電子的に通信するメモリと、
前記メモリに記憶されており、前記プロセッサによって実行可能である命令と、を備えてり、前記命令は、前記プロセッサによって前記装置に、
移動車両上のネットワークアクセス端末から、前記移動車両上のデバイスに対する接続要求の指示を受信させ、ここで前記接続要求は、ＭＡＣ（メディアアクセス制御）アドレスを使用して前記デバイスを識別し、
前記ＭＡＣアドレスに関連付けられたＧＵＩＤ（グローバル一意識別子）を生成させ、
前記ネットワークアクセス端末に前記ＧＵＩＤを含む第１のメッセージを送信させ、ここで前記ネットワークアクセス端末は、前記トラフィック接続を介して前記接続要求を前記サービスセンタにリダイレクトし、前記リダイレクトされた接続要求は前記ＧＵＩＤを含んでおり、
前記サービスセンタから前記サービス接続を介して、前記デバイスに対する第１のネットワークサービスを示す第２のメッセージを受信させ、ここで前記第２のメッセージは、前記ＧＵＩＤに基づいて前記デバイスを識別し、
前記第２のメッセージに基づいて、前記デバイスに対する前記第１のネットワークサービスを提供するように、前記アクセスネットワークを構成させる
ように実行可能である、装置。
【請求項１６】
前記命令は、前記プロセッサによって前記装置に、
前記サービス接続を介して前記ＧＵＩＤの指示、及び一組の車両ステータス値を送信させるように更に実行可能である、請求項１５に記載の装置。
【請求項１７】
前記一組の車両データ項目は、車両識別子、ルート識別子、隊列識別子、目的地、又は旅行期間のうちの１つ以上を含む、請求項１６に記載の装置。
【請求項１８】
前記命令は、前記プロセッサによって前記装置に、
前記第１のメッセージを送信する前に、前記ＧＵＩＤを暗号化させるように更に実行可能である、請求項１５〜１７のいずれか一項に記載の装置。
【請求項１９】
前記命令は、前記プロセッサによって前記装置に、
前記第２のメッセージに少なくとも部分的に基づいて、前記ＧＵＩＤを前記ＭＡＣにマッピングさせるように更に実行可能であり、
前記アクセスネットワークを構成するための命令は、前記プロセッサによって前記装置に、前記ＭＡＣアドレスを使用して前記デバイスを識別する、前記デバイスに対する前記第１のネットワークサービスの指示を送信させるように実行可能である、請求項１５〜１８のいずれか一項に記載の装置。
【請求項２０】
前記命令は、前記プロセッサによって前記装置に、
前記ＧＵＩＤ及び前記ＭＡＣアドレスをデータベースに記憶させるように更に実行可能であり、
前記ＧＵＩＤを前記ＭＡＣアドレスにマッピングするための命令は、前記プロセッサによって前記装置に、前記データベースにアクセスさせるように実行可能である、請求項１９に記載の装置。
【請求項２１】
前記命令は、前記プロセッサによって前記装置に、
前記マッピングに基づいて、前記デバイスが、前記アクセスネットワークに関連付けられた諸条件を受諾するために以前に使用されたかどうかを判定させ、
前記デバイスが前記諸条件を受諾するために以前に使用されたという判定に応じて、前記諸条件の受諾を要求することを控えさせるように更に実行可能である、請求項２０に記載の装置。
【請求項２２】
前記命令は、前記プロセッサによって前記装置に、
前記接続要求を受信したことに応じて、かつ前記第１のメッセージを受信する前に、前記デバイスに対する第２のネットワークサービスを提供するように、前記アクセスネットワークを構成させるように更に実行可能であり、前記第２のネットワークサービスは、前記第１のネットワークサービスとは異なる、請求項１５〜２１のいずれか一項に記載の装置。
【請求項２３】
前記第２のネットワークサービスは、前記デバイスが前記サービスセンタと通信すること許可する、請求項２２に記載の装置。
【請求項２４】
前記リダイレクトされた接続要求は、ポートリダイレクトメッセージである、請求項１５〜２３のいずれか一項に記載の装置。
【請求項２５】
前記命令は、前記プロセッサによって前記装置に、
前記サービス接続を介して前記移動車両に関連付けられた１つ以上の車両ステータス値を、前記サービスセンタに送信させるように更に実行可能である、請求項１５〜２４のいずれか一項に記載の装置。
【請求項２６】
前記１つ以上の車両ステータス値は、位置値、推定到着時間、推定旅行持続期間、又は車両動作イベントの指示のうちの１つ以上を含む、請求項２５に記載の装置。
【請求項２７】
前記命令は、前記プロセッサによって前記装置に、
前記１つ以上の車両ステータス値を送信した後に、前記サービスセンタから、少なくとも前記デバイスに対するネットワークサービスを無効化する要求を受信させ、
前記要求を受信することに応じて、前記アクセスネットワークを、少なくとも前記デバイスに対して前記ネットワークサービスを無効化するよう構成させるように更に実行可能である、請求項２５に記載の装置。
【請求項２８】
前記命令は、前記プロセッサによって前記装置に、
前記要求を受信したことに応じて、前記アクセスネットワークを、前記移動車両上の複数のデバイスに対して前記ネットワークサービスを無効化するよう構成させるように更に実行可能である、請求項２７に記載の装置。
【発明の詳細な説明】
【技術分野】
【０００１】
（相互参照）
本特許出願は、Ｐｒｅｎｇｅｒらによる２０１８年８月１日に出願された米国仮特許出願第６２／７１３，１１９号、発明の名称「Ｍｏｂｉｌｉｔｙ  Ｃｏｎｎｅｃｔｉｖｉｔｙ  Ｐｒｏｖｉｓｉｏｎｉｎｇ  ｆｏｒ  Ｓｅｇｒｅｇａｔｅｄ  Ｏｒｄｅｒ  Ｍａｎａｇｅｍｅｎｔ」の利益を主張し、その出願は、この文書の出願人に譲渡され、本明細書に明示的に組み込まれる。
【背景技術】
【０００２】
航空機、船舶、及び列車などの多くの大量輸送車両は、乗客乗員がインターネット及び他のネットワークサービスにアクセスすることを可能にするために、車載ネットワーク通信を提供する。場合によっては、ネットワークサービスプロバイダは、そのようなサービスを提供するために使用されるネットワーク通信のプロビジョニングを行うことができる。場合によっては、フリートオペレータなどの外部サービスプロバイダは、ユーザインターフェースの一部又は全て、及びユーザによる支払いを必要とし得るプレミアムネットワークサービスを提供することに関連付けられた発注管理プロセスをコントロールすることを望む場合がある。個人情報の送信に対する制限は、ネットワークサービスプロバイダと外部サービスプロバイダとの間のネットワークプロビジョニング及び発注管理を調整するための課題を提起し得る。分別発注管理のために移動接続をプロビジョニングするための改善されたシステム及び方法は、有用であり得る。
【発明の概要】
【０００３】
上記を考慮して、分別発注管理のための移動接続プロビジョニングの態様が、以下に記載される。
【０００４】
分別発注管理のために移動接続をプロビジョニングする方法が記載される。この方法は、少なくとも１つの外部ネットワークへのトラフィック接続を有するネットワーク動作センタを含むアクセスネットワークにおいて移動接続をプロビジョニングすることを含むことができ、このアクセスネットワークは、アクセスネットワークの外部にあるサービスセンタへのサービス接続を有する。この方法は、移動車両上のネットワークアクセス端末から、移動車両上のデバイスに対する接続要求の指示を受信することを含むことができ、この接続要求は、ＭＡＣ（媒体アクセス制御（media access control））アドレスを使用してデバイスを識別する。この方法は、ＭＡＣアドレスに関連付けられたＧＵＩＤ（グローバル一意識別子）を生成することと、ネットワークアクセス端末にＧＵＩＤを含む第１のメッセージを送信することと、を含むことができ、ネットワークアクセス端末は、トラフィック接続を介して、接続要求をサービスセンタにリダイレクトする。リダイレクトされた接続要求は、ＧＵＩＤを含んでもよい。この方法は、サービスセンタからサービス接続を介して、デバイスのための第１のネットワークサービスを示す第２のメッセージを受信することを含むことができる。第２のメッセージは、ＧＵＩＤに基づいてデバイスを識別することができる。この方法は、第２のメッセージに基づいて、デバイスに対する第１のネットワークサービスを提供するようにアクセスネットワークを構成することを含むことができる。
【０００５】
分別発注管理のために移動接続をプロビジョニングするための装置が記載される。この装置は、プロセッサと、プロセッサと電子的に通信するメモリと、メモリに記憶された命令と、を含むことができる。この命令は、プロセッサによって装置に、移動車両上のネットワークアクセス端末から、移動車両上のデバイスに対する接続要求の指示を受信させるように実行可能であり、接続要求は、ＭＡＣアドレスを使用してデバイスを識別する。この命令は、プロセッサによって装置に、ＭＡＣアドレスに関連付けられたＧＵＩＤを生成させ、ネットワークアクセス端末にＧＵＩＤを含む第１のメッセージを送信させるように実行可能であり、ネットワークアクセス端末は、トラフィック接続を介して接続要求をサービスセンタにリダイレクトする。リダイレクトされた接続要求は、ＧＵＩＤを含んでもよい。この命令は、プロセッサによって装置に、サービス接続を介してサービスセンタから、デバイスに対する第１のネットワークサービスを示す第２のメッセージを受信させるように実行可能である。第２のメッセージは、ＧＵＩＤに基づいてデバイスを識別することができる。この命令は、プロセッサによって装置に、第２のメッセージに基づいてデバイスに対する第１のネットワークサービスを提供するためにアクセスネットワークを構成させるように実行可能である。
【０００６】
上記では、以下の詳細な説明をより良く理解できるように、本開示による例の特徴及び技術的利点をむしろ大まかに概説している。追加の特徴及び利点が、以下に記載される。開示された概念及び特定の例は、本開示の同じ目的を実施するための他の構造を修正又は設計するための基礎として容易に利用することができる。このような等価な構造は、添付の特許請求の範囲から逸脱しない。本明細書に開示された概念の特徴、それらの組織及び操作方法の両方、並びに関連する利点が、添付の図と関連して考慮される場合、以下の説明からより良く理解されるであろう。図のそれぞれは、例示及び説明のみを目的として提供され、特許請求の範囲の限界の定義としては提供されない。
【図面の簡単な説明】
【０００７】
本開示の性質及び利点の更なる理解は、以下の図面を参照することによって実現することができる。添付図面において、同様の構成要素又は特徴は、同じ参照ラベルを有し得る。
【０００８】
【図１】本開示の態様による、分別発注管理のための移動接続プロビジョニングをサポートする通信システムの概略図を示す。
【０００９】
【図２】本開示の態様による、分別発注管理のための移動接続プロビジョニングをサポートするアクセスネットワークの概略図を示す。
【００１０】
【図３】本開示の態様による、分別発注管理のための移動接続プロビジョニングをサポートする信号フロー図を示す。
【００１１】
【図４】本開示の態様による、分別発注管理のための移動接続プロビジョニングをサポートするコンピューティングシステムの概略図を示す。
【００１２】
【図５】本開示の態様による、分別発注管理のための移動接続プロビジョニングをサポートする例示的な方法のフローチャートを示す。
【発明を実施するための形態】
【００１３】
一部の大量輸送車両は、乗客がラップトップや携帯電話などの電子デバイス上でインターネットにアクセスすることを可能にするネットワークサービスを提供している。ネットワークサービスプロバイダは、移動車両上の１つ以上のデバイスにネットワークサービスを提供するために、モデム及びゲートウェイなどの車載ネットワーキングデバイスを含むアクセスネットワークを構成する役割を果たすことができる。場合によっては、フリートオペレータなどの外部サービスプロバイダが、様々なレベルのネットワークサービス、例えば、乗客による支払いなしで提供されるデフォルトのネットワークサービス、又は１つ以上のレベルのプレミアムネットワークサービスの提供に関連したユーザインターフェースやバックエンド発注管理プロセスを管理することを望む場合がある。付加的に又は代替的に、外部サービスプロバイダは、プロバイダのサービスを競合他社のサービスと差別化するために、又は乗客のサービス利用状況を監視するために、ユーザインターフェースをカスタマイズ又は更新することを望む場合がある。この場合、ネットワークサービスプロバイダ及び外部サービスプロバイダは、ネットワークサービスを受信するデバイスに関する情報を調整する必要がある。例えば、乗客は、ユーザインターフェースを介して、高速インターネット又はストリーミングビデオなどのプレミアムネットワークサービスを発注することができる。外部サービスプロバイダは、発注を処理し、プレミアムネットワークサービスを認可し、その発注又は他の要因に基づいて、デバイスにサービスを提供するユーザインターフェース（複数可）を潜在的に変更することができる。
【００１４】
最近のプライバシー規定の改正により、個人の身元を特定したり、オンラインでの活動を追跡したりするために使用され得る個人特定情報（personally identifiable information、ＰＩＩ）などの個人情報を送信する際に取らなければならないセキュリティ対策が強化されている。そのような個人情報は、ネットワークサービスにアクセスする特定のデバイスを一意に識別するデバイスアドレスを含んでもよい。この場合、ネットワークサービスプロバイダと外部サービスプロバイダとの間でデバイスアドレスを送信することに制限がある場合があり、ネットワーク上で発注をプロビジョニングするネットワークサービスプロバイダと、ユーザインターフェースを提供して発注と支払いを管理する外部サービスプロバイダとの間で発注管理を分別することが課題となる。本出願の様々な態様は、本開示の態様による、分別発注管理のための、プライバシーに対応した移動接続プロビジョニングをサポートするための方法及びツールを提供する。
【００１５】
図１は、本開示の態様による、分別発注管理のための移動接続プロビジョニングをサポートする例示的な通信システム１００の簡略図を示す。通信システム１００は、衛星１０５（又は複数の衛星１０５）、地上局１１５、地上局アンテナシステム１１０、及びネットワークアクセス端末１８５を含み得る。動作中、通信システム１００は、ネットワークアクセス端末１８５を介して、基板移動車両１３５上の複数のデバイス１５０にネットワークサービスを提供する。例えば、通信システム１００は、衛星１０５及び地上局１１５を介して、ネットワークアクセス端末１８５と外部ネットワーク１２０との間に双方向通信を提供することができる。外部ネットワーク１２０は、例えば、１つ以上のプライベート又は公衆ネットワーク（例えば、イントラネット、インターネット）であってもよい。ネットワークアクセス端末１８５は、１つ以上のアクセスポイント１５５（例えば、無線アクセスポイント（wireless access points、ＷＡＰＳ）など）を含んでもよく、デバイス１５０は、１つ以上のアクセスポイント１５５を介して、ネットワークアクセス端末１８５に接続することができる。ネットワークアクセス端末１８５はまた、衛星１０５又は地上局１１５との通信を維持するのに好適な、移動車両１３５上の位置に配置することのできるアンテナ１４０を（例えば、航空機の機体に）含んでもよい。
【００１６】
衛星又は複数の衛星１０５は、任意の好適な種類の通信衛星を含むことができる。いくつかの実施例では、一部又は全ての衛星は、静止軌道にあってもよい。他の例では、衛星１０５に対していずれかの適切な軌道（例えば、中地球軌道（medium earth orbit、ＭＥＯ）、低地球軌道（low earth orbit、ＬＥＯ）など）が使用されてもよい。
【００１７】
地上局１１５は、地上局アンテナシステム１１０を使用する通信リンク１２５を介して、衛星１０５との間で信号を送受信する。地上局アンテナシステム１１０は、双方向通信することのでき、衛星１０５と確実に通信するために適切な送信電力及び受信感度を備えるよう設計することができる。地上局１１５は、通信リンク１６５を介して、ＮＯＣ（ネットワーク動作センタ（network oprations center））１７０に接続することができる。
【００１８】
ネットワークゲートウェイデバイス１４５は、通信リンク１３０を介して衛星１０５と信号を通信するために、アンテナ１４０を使用することができる。アンテナ１４０には、アンテナ１４０を衛星１０５に向ける（例えば、積極的に追跡する）仰角及び方位ジンバルに装着することができる。通信システム１００は、国際電気通信連合（International Telecommunications Union、ＩＴＵ）Ｋｕ、Ｋ、又はＫａバンド、例えば、約１７．７〜２１．２ギガヘルツ（ＧＨｚ）で動作することができる。代替的に、通信システム１００は、Ｃバンド、Ｘバンド、Ｓバンド、Ｌバンドなどのような他の周波数帯域で動作してもよい。図１に示すように、ネットワークゲートウェイデバイス１４５及びアンテナ１４０は、移動車両１３５に搭載される。
【００１９】
場合によっては、ＮＯＣ（ネットワーク動作センタ）１７０は、ネットワークサービスプロバイダに関連付けられたファシリティであるＲＢＯ（リモートバックオフィス（remote back office））１９５と通信してもよい。ＲＢＯ１９５は、ネットワークサービスの認可及び管理、外部サービスプロバイダとの通信、又は例えば分別発注管理のための移動接続プロビジョニングをサポートし得る他のバックエンド機能の実行のために使用されるコンピューティングシステム（例えば、図４を参照して説明されるコンピューティングシステム４０５）の一部として、ＮＰＭ（ネットワークプロビジョニングマネージャ（network provisioning manager））１９３を含んでもよい。
【００２０】
場合によっては、ＮＯＣ１７０、ＲＢＯ１９５、ネットワークアクセス端末１８５、及び通信経路１６０、１６５、及び１９２は、図２のアクセスネットワーク２０５によって示されるように、集合的にアクセスネットワークと称してもよい。
【００２１】
アクセスネットワーク２０５は、移動車両１３５上の１つ以上のデバイス１５０に様々なネットワークサービスへのアクセスを提供するように構成可能である。例えば、アクセスネットワーク２０５は、デバイス１５０が１つ以上のＵＲＬ（ユニフォームリソースロケータ（uniform resource locators））若しくはＩＰ（インターネットプロトコル（Internet Protocol））アドレスにアクセスすること、及び／又はネットワークサービスプロバイダ、外部サービスプロバイダ、又は他のネットワーク（例えば、インターネット）に関連付けられた地上サーバと通信することを許可にするように構成することができる。アクセスネットワーク２０５はまた、他のトラフィック管理機能（例えば、ネットワークアドレス割り当て又は変換、トラフィックシェーピングなど）を実行してもよい。
【００２２】
場合によっては、アクセスネットワーク２０５は、プロセッサ及びメモリなどの様々な電子部品を含んでもよい。これにより、ネットワークアクセス端末１８５及びＮＯＣ（ネットワーク動作センタ）１７０を、ネットワークサービスプロバイダに関連付けられたＲＢＯ１９５からの制御シグナリングで受信した構成情報に基づいて、ネットワークサービスへのアクセスを提供するように構成することができる。ＲＢＯ１９５は、様々なネットワークサービス（例えば、デフォルトのネットワークサービス又はプレミアムネットワークサービス）を移動車両１３５上のデバイス１５０に提供するように、ネットワークアクセス端末１８５及びＮＯＣ１７０を構成することができる。その後、ＮＯＣ１７０は、例えば、トラフィック接続１７５を介して外部ネットワーク１２０と通信することができ、（例えば、デバイス１５０から又は同デバイスへの）ネットワークトラフィックのための通信リンクを外部ネットワーク１２０に提供することができる。
【００２３】
通信システム１００は、ネットワークアクセス端末１８５と外部ネットワーク１２０との間の双方向通信を、衛星１０５及び地上局１１５を介する通信リンク１６０−ａを用いて提供することができる。代替的に、通信システム１００は、ネットワークアクセス端末１８５と外部ネットワーク１２０及び／又は地上局１１５との間の双方向通信を、空対地又は地対地通信リンク１６０−ｂ（例えば、列車、船舶、バス、自動車などの地上車の場合）を介して提供することができる。例えば、通信システム１００は、衛星１０５を使用することなく、ネットワークアクセス端末１８５と外部ネットワーク１２０又は地上局１１５との間の双方向通信を、空対地又は地対地リンク１６０−ｂを介して提供してもよい。
【００２４】
場合によっては、各デバイス１５０は、デバイス１５０を一意に識別する静的識別子と関連付けることができる。例えば、ＭＡＣ（媒体アクセス制御）アドレスは、いくつかのハードウェア構成要素（例えば、デバイスのネットワークインターフェース構成要素）に割り当てられた一意の識別子である。アクセスネットワーク２０５は、それらのＭＡＣアドレスなどの一意の識別子に基づいて、デバイス１５０のネットワークサービスを管理することができる。例えば、特定のデバイス１５０に関連付けられたトラフィックを、ソース又は宛先アドレスが、デバイス１５０の既知のＭＡＣアドレスに（例えば、直接的に又はネットワークアドレス変換を用いて）対応する場合、認識することができる。次いで、トラフィックは、デバイスに関連付けられたサービスレベルに従って管理することができる（例えば、認可、優先、シェーピングすることができる）。例えば、デバイスが、プロビジョニングされたデータ速度（例えば、最小情報速度（minimum information rate、ｍｉｎＩＲ）、認定情報速度（committed information rate、ＣＩＲ）、ピーク情報速度（peak information rate、ＰＩＲ）など）に対応するサービスレベルに対して認可されている場合、デバイスに関連付けられたトラフィックは、（例えば、優先順位付け、トラフィックシェーピングなどによって）所定のデータ速度に管理することができる。
【００２５】
場合によっては、ＭＡＣアドレスなどの静的識別子は、個人情報（例えば、ＰＩＩ）とみなされることがあり、送信制限を受けることがある。例えば、ＰＩＩの送信には追加のセキュリティが必要な場合があり、又は必須の用途、又は顧客が開始する機能に直接関連する用途に限定される場合がある。
【００２６】
場合によっては、ＲＢＯ１９５は、移動車両１３５上のデバイス１５０に対する接続要求の指示を受信してもよい。例えば、アクセスポイント１５５は、利用可能な接続、例えば、移動体１３５上のＳＳＩＤ（サービスセット識別子（service set identifier））を一斉通信してもよく、デバイス１５０は、アクセスポイント１５５に接続してもよい。ＲＢＯ１９５は、ネットワークアクセス端末１８５からのメッセージにおける接続要求の指示を受信することができる。メッセージは、アクセスネットワーク２０５がデバイス１５０に対してネットワークサービスをプロビジョニングすることを可能にするために、デバイス１５０のＭＡＣアドレスを含んでもよい。
【００２７】
メッセージを受信したことに応じて、ＲＢＯ１９５は、例えば、ネットワークアクセス端末１８５及びＮＯＣ１７０に構成情報と共にメッセージを送信することにより、ネットワークアクセス端末１８５及びＮＯＣ１７０を含むアクセスネットワーク２０５を構成して、デバイス１５０にネットワークサービスを提供することができる。
【００２８】
場合によっては、接続要求の指示を受信すると、ＲＢＯ１９５は、デバイス１５０にデフォルトのネットワークサービスを提供するようにアクセスネットワーク２０５を構成することができる。デフォルトのネットワークサービスは、デバイス１５０が支払いをせずにアクセスすることができる１つ以上のＵＲＬの「ホワイトリスト」へのアクセスを提供することを含んでもよい。場合によっては、ホワイトリストは、デバイス１５０のユーザがプレミアムネットワークサービスを選択して発注することを可能にするポータルのＵＲＬを含んでもよい。ポータルは、ウェブページ又はウェブアプリケーションとしてデバイス１５０に供してもよい（例えば、送信又は提供してもよい）。
【００２９】
場合によっては、ネットワークサービスプロバイダは、アクセスネットワーク２０５を介してポータルを供し、ネットワークサービスのプロビジョニングと共に、プレミアムネットワークサービスの発注を管理してもよい。この場合、アクセスネットワーク２０５は、デバイス１５０に対してポータルを供し、ネットワークサービスを管理するために、デバイス１５０のＭＡＣアドレスを使用することができる。これは、例えば、デバイス１５０が外部ネットワーク１２０にアクセスすることを許可することを含むことができる。このようなネットワークサービスを提供することは、典型的なインターネットプロトコル（Internet Protocol、ＩＰ）トラフィックの一部として、アクセスネットワーク２０５と外部ネットワーク１２０との間でＭＡＣアドレスを送信することを伴い得る。ＭＡＣアドレスのこの使用は、ＭＡＣアドレスがデバイス１５０との直接的な通信のためのアドレスとして使用されるため、プライバシー規制の対象とならない場合がある。すなわち、ＭＡＣアドレスは、顧客が開始したネットワーク通信に関連付けられたネットワークルーティングのためのアドレス情報として使用される場合には、ＰＩＩとはみなされない場合がある。しかしながら、前述のように、場合によっては、外部サービスプロバイダ（例えば、サービスセンタ１９０）が、ポータルを供し、プレミアムサービスの発注を管理することを望む場合があり、したがって、ネットワークプロビジョニングは発注管理から分別される。この場合、外部サービスプロバイダは、デバイスにポータルを供するためにデバイス１５０を識別し、プレミアムネットワークサービスの発注を処理し、ネットワークサービスプロバイダに対してデバイスのネットワークプレミアムサービスの認可を提供することが必要となる。したがって、ネットワークサービスプロバイダ及び外部サービスプロバイダの両方は、プレミアムサービスが提供されるべきデバイスを識別できなければならない。
【００３０】
プライバシー規制がない場合には、ネットワークサービスプロバイダは、サービス接続１９７上の外部サービスプロバイダ（例えば、サービスセンタ１９０）に、アクセスネットワーク２０５から（例えば、ＲＢＯ１９５から）デバイスのＭＡＣアドレスを送信することを選択して、ネットワークプロビジョニングと発注管理との分別を可能にすることができる。しかしながら、プライバシー規制との関連では、この場合、ＭＡＣアドレスは、典型的なＩＰトラフィックでの使用のためのアドレスではなくユーザデータとして実質的に送信されるため、ＭＡＣアドレスの送信は制限される可能性があり、ＰＩＩ（個人特定情報）とみなされることがある。したがって、外部サービスプロバイダがデバイス１５０を識別し、ネットワークサービスプロバイダ（例えば、ＮＯＣ１７０及び／又はＲＢＯ１９５において）と外部サービスプロバイダ（例えば、サービスセンタ１９０において）との間で発注管理及びネットワークプロビジョニングを調整することを可能にするための代替の戦略が必要とされる。様々な態様によれば、これらの戦略は、例えば、サービスセンタ１９０とアクセスネットワーク２０５との間の通信、及び／又はサービスセンタ２０５とデバイス１０５との間の通信においてデバイス１５０を識別するために使用され得る、デバイス１５０の匿名識別子を生成することを含むことができる。場合によっては、デバイス１５０との通信を匿名化するために匿名識別子を使用することができる。匿名識別子は、デバイス１５０又はユーザに対して（例えば、追加情報なしでは）直接的に追跡可能ではないので、ＰＩＩとはみなされない。場合によっては、匿名識別子は、特定のデバイス１５０又は特定のＭＡＣアドレスに関連付けられた一意の識別子であってもよい。場合によっては、匿名識別子は、準静的識別子であってもよく、例えば、匿名識別子は、デバイス１５０が別のネットワークに接続した後、又は電源が再投入された後も、デバイス１５０を識別するために更に使用してもよい。場合によっては、新たな匿名識別子がデバイス１５０に対して生成されるまで、匿名識別子を限られた時間だけ使用することができる。場合によっては、匿名識別子とデバイス１５０の静的識別子との間の関連付けの記録は、デバイス１５０がネットワークから切断された後、限られた時間（例えば、３０日、６０日など）の間保持してもよく、その後、その記録は破棄される。場合によっては、デバイス１５０がアクセスネットワーク２０５を介してネットワークサービスへの接続を開始すると、アクセスネットワーク２０５は、匿名識別子を生成して、デバイス１５０を識別し、匿名識別子をサービスセンタ１９０に提供することができる。匿名識別子は、アクセスネットワーク２０５とサービスセンタ１９０との間の後続の通信において使用され、分別発注管理のプライバシーに対応した移動接続プロビジョニングを可能にする。
【００３１】
場合によっては、匿名識別子は、以下に説明するように、サービスセンタ１９０とアクセスネットワーク２０５との間の通信においてデバイス１５０を識別するために使用され得るＧＵＩＤ（グローバル一意識別子）であってもよい。本明細書で使用するとき、ＧＵＩＤは、ネットワーク上の機器の静的識別子に関連付けられた匿名識別子の一例である。
【００３２】
場合によっては、ＲＢＯ１９５はサービス接続１９７を介してサービスセンタ１９０と通信することができる。サービス接続１９７は、例えば、ＲＢＯ１９５とサービスセンタ１９０との間に直接的通信リンクを提供することができる。代替的に、サービス接続１９７は、サービスセンタ１９０とＲＢＯ１９５との間の論理直接接続であってもよいが、外部ネットワーク１２０のビアノードを含む１つ以上の直接的又は間接的物理ネットワーク接続を含んでもよい。
【００３３】
サービスセンタ１９０はまた、サービスセンタトラフィック接続１７５を介して外部ネットワーク１２０と通信してもよい。サービスセンタトラフィック接続１７５は、例えば、（ＮＯＣ１７０のネットワークサービスプロバイダとは異なるインターネットサービスプロバイダ（ＩＳＰ）によって提供される）インターネット接続であってもよい。
【００３４】
場合によっては、ネットワークアクセス端末１８５が、デバイス１５０から接続要求を受信すると、ネットワークアクセス端末１８５は、デバイス１５０のＭＡＣアドレスと共に、アクセスネットワーク２０５のＲＢＯ１９５へ接続要求の指示を送信することができる。
【００３５】
場合によっては、接続要求の指示を受信したことに応じて、ＲＢＯ１９５は、ＭＡＣアドレスに関連付けられたＧＵＩＤを生成することができる。そのようなＧＵＩＤは、デバイス１５０を識別するために使用することができる。ＧＵＩＤは、一意及び匿名識別子を生成するための確立された技術に従って生成することができる。ＲＢＯ１９５は、ＧＵＩＤを暗号化し、暗号化されたＧＵＩＤをネットワークアクセス端末１８５に送信することができる。ＲＢＯはまた、デバイス１５０に対してデフォルトのネットワークサービスを認可するように、メッセージをＮＯＣ１７０に送信してもよい。このメッセージは、ＭＡＣアドレスを使用してデバイス１５０を識別することができる。メッセージに基づいて、アクセスネットワーク２０５（例えば、ＮＯＣ１７０及びネットワークアクセス端末１８５）を、デフォルトのサービスをデバイス１５０に提供するように構成することができる。例えば、ネットワークアクセス端末１８５は、デバイス１５０からの又は同デバイスへのトラフィックのためにファイアウォールを開くように構成してもよく、ＮＯＣ１７は、外部ネットワーク１２０（例えば、サービスセンタ１９０）を介してデバイスが１つ以上の接続先に到達することを可能にするように構成してもよい。
【００３６】
ネットワークアクセス端末１８５は、接続要求をサービスセンタ１９０にリダイレクトするように構成してもよい。リダイレクトされた接続要求は、例えば、ＧＵＩＤを含んでもよい。リダイレクトされた接続要求は、トラフィック接続１７５、例えば通常のＩＰトラフィックを介して、ＮＯＣ１７０からサービスセンタ１９０に送信してもよい。したがって、サービスセンタ１９０は、ＭＡＣアドレスではなく、ＧＵＩＤによってデバイス１５０を識別する接続要求を受信することができる。アクセスネットワーク２０５は、図３を参照してより詳細に説明されるように、ＧＵＩＤ／ＭＡＣの対のデータベースを維持することができ、ＲＢＯ１９５とサービスセンタとの間の後続の通信は、ＭＡＣアドレスの送信を必要とせず、ＧＵＩＤを利用してデバイス１５０を識別することができる。
【００３７】
場合によっては、移動車両１３５は、例えば、車両識別子（例えば、機体番号又は船舶ＩＤ）、隊列識別子、旅行番号（例えば、便名）、ルート識別子、旅行期間、出発ターミナル識別子、到着ターミナル識別子、予定又は実際の出発時刻又は日付、及び／又は予定或いは実際の到着時刻又は日付などの様々な車両データ項目に関連付けることができ、又はそれによって識別することができる。
【００３８】
場合によっては、ＲＢＯ１９５は、サービス接続１９７を介してＧＵＩＤ及び様々な車両データ項目をサービスセンタ１９０に送信してもよい。サービスセンタ１９０は、この情報を使用して、ＧＵＩＤ（及び、ひいてはデバイス１５０）を特定の移動車両に関連付けることができ、車両識別子に基づいてポータルを構成することができる。例えば、サービスセンタ１９０は、例えば、便名又はルートに基づいて、異なるプレミアムネットワークサービスオプション又は価格設定を提供するようにポータルを構成することができる。
【００３９】
場合によっては、移動車両１３５は、移動車両１３５のステータス、及び／又は移動車両１３５に関連付けられた動作イベントを監視及び送信するための車載電子機器を含む車両監視ユニット１８０を含んでもよい。車両監視ユニット１８０は、センサ、プロセッサ、サーバ、トランシーバ、又は他の関連する電子機器を含んでもよい。これにより車両監視ユニット１８０は、移動車両１３５に関連付けられたステータス及び動作イベントを検出及び／又は監視し、ステータス及び動作イベントに関連付けられた一組の車両ステータス値を（例えばＲＢＯ１９５に）送信することができる。例えば、車両監視ユニット１８０は、移動車両１３５の位置（例えば、高度、経度、緯度、出発ターミナルからの経過距離など）などの車両ステータスを監視することができる。車両監視ユニット１８０は、例えば、経過した旅行期間又は推定到着時間などの車両ステータスを監視してもよい。
【００４０】
車両監視ユニット１８０によって監視される動作イベントは、移動車両の種類に依存し得る。例示的な動作イベントは、離陸又は着陸、「ウェイトＯｎホイール」又は「ウェイトＯｆｆホイール」イベント、ドッキング又はアンドッキングイベントなどを含んでもよい。そのような動作イベントは、「ドア開放」又は「ドア閉鎖」イベント、又は「タラップ下降」又は「タラップ上昇」イベントなどの搭乗イベントを含んでもよい。そのような動作イベントは、実際の出発時刻又は実際の到着時刻を含んでもよい。
【００４１】
場合によっては、移動車両１３５は、ＡＲＩＮＣ（Ａｅｒｏｎａｕｔｉｃａｌ  Ｒａｄｉｏ，ＩＮＣ．）アビオニクスプロトコルなどのプロトコルに従って動作することができる車両専用通信又は制御バスを含んでもよく、これは、移動車両１３５に関連付けられた様々なステータス又は動作イベントを監視、記録、又は制御するために使用することができる。車両監視ユニット１８０は、車両の動作イベントについての情報を取得するために、車両専用通信又は制御バスに接続することができる。場合によっては、ＲＢＯ１９５は、例えばサービス接続１９７を介して車両ステータス値をサービスセンタに送信してもよい。このような車両ステータス値は、例えば、車両識別子に関連付けてもよい。サービスセンタは、車両ステータス情報を使用して、車両ステータス値に基づいてデバイスのポータルを構成することができる。例えば、サービスセンタ１９０は、高度又は推定到着時間に基づいて、異なるプレミアムネットワークサービスオプション又は価格設定を提供するようにポータルを構成することができる。
【００４２】
図２は、本開示の態様による、分別発注管理のための移動接続プロビジョニングをサポートするアクセスネットワーク２０５を示す。アクセスネットワーク２０５は、図１を参照して説明したように、これらの要素間の様々な通信リンク１６０、１６５、１９２と共に、ＮＯＣ（ネットワーク動作センタ）１７０、ＲＢＯ（リモートバックオフィス）１９５、地上局１１５、及びネットワークアクセス端末１８５を含む。集合的に、アクセスネットワーク２０５は、移動車両１３５上のデバイス１５０にネットワークサービスを提供するように構成することができる。アクセスネットワーク２０５は、例えばサービス接続１９７を介してサービスセンタ１９０と直接、通信することができる。アクセスネットワーク２０５は、トラフィック接続１７５を介して、外部ネットワーク１２０と通信することができる。アクセスネットワーク２０５は、例えば、トラフィック接続１７５及び外部ネットワーク１２０を介して、サービスセンタ１９０と間接的に通信することができる。
【００４３】
図３は、本開示の態様による、分別発注管理のための移動接続プロビジョニングをサポートする信号フローを示す。この信号フローは、図１及び２を参照して説明した通信システム１００及びアクセスネットワーク２０５の動作に関する更なる詳細を提供することができる。
【００４４】
３０５において、デバイス１５０は、移動車両１３５上のネットワークアクセス端末１８５に接続要求を送信することによって、初期ネットワーク接続を要求することができる。デバイス１５０は、例えば、電源がオンになったとき、又はデバイス１５０のユーザが移動車両１３５上のネットワーク（例えば、Ｗｉ−Ｆｉ）に接続しようとしたときに、ネットワーク接続を要求してもよい。この接続要求は、デバイス１５０のＭＡＣアドレスを使用して、このデバイス１５０を識別することができる。
【００４５】
３１０において、ネットワークアクセス端末１８５は、アクセスネットワーク２０５のＲＢＯ１９５へ、デバイス１５０に対する接続要求の指示を送信することができる。接続要求の指示は、ＭＡＣアドレスを使用してデバイス１５０を識別することができる。ネットワークアクセス端末１８５は、例えば、通信リンク１６０、１６５、及び／又は１９２を介して、接続要求の指示をＲＢＯ１９５に送信してもよい。
【００４６】
３１５において、ＲＢＯ１９５は、ＭＡＣアドレスによって要求側デバイス１５０を識別する接続要求の指示を受信することができ、ＭＡＣアドレスに関連付けられたＧＵＩＤを生成することができる。ＲＢＯ１９５は、例えば、図４に関連して説明したアクセスネットワークコンピューティングシステム４０５などのコンピューティングシステムを使用して、ＧＵＩＤを生成及び暗号化することができる。場合によっては、ＲＢＯ１９５は、様々な暗号化アルゴリズムのうちの１つを使用して、ＧＵＩＤを暗号化することができる。
【００４７】
３２０において、ＲＢＯ１９５は、ＧＵＩＤを含むメッセージをＮＯＣ１７０及びネットワークアクセス端末１８５に送信することができる。場合によっては、ＧＵＩＤは、暗号化されたＧＵＩＤとして送信することができ、第三者がＧＵＩＤをＭＡＣアドレスと関連付ける可能性を低減することができる。
【００４８】
３２５において、ＲＢＯ１９５は、デフォルトのネットワークサービス認可をＮＯＣ１７０及びネットワークアクセス端末１８５に送信して、ＮＯＣ１７０及びネットワークアクセス端末１８５を、デフォルトネットワークサービスを提供するように構成することができる。デフォルトのネットワークサービス認可は、ＭＡＣアドレスを使用してデバイス１５０を識別することができる。
【００４９】
３３５において、ＮＯＣ１７０及びネットワークアクセス端末１８５は、ＲＢＯ１９５からデフォルトのサービス認可を受信することができ、このデフォルトサービス認可に基づいて、デフォルトサービスを機器１５０に提供するように構成することができる。例えば、ネットワークアクセス端末１８５のファイアウォールは、デバイス１５０がＮＯＣ１７０へのリンク上でトラフィックを送信及び／又は受信することを許可するように構成することができる。ＮＯＣ１７０は、このデバイス１５０を、外部ネットワーク１２０への制限付き帯域幅アクセスが許容されているデバイスリストに追加することができ、このデバイスは、外部ネットワーク１２０の接続先アドレス（例えば、サービスセンタ１９０）への制限付きアクセスが許容される。場合によっては、ネットワークアクセス端末及び／又はＮＯＣ１７０は、デフォルトサービスに従ってデバイス１５０をサポートするために、トラフィック管理機能（例えば、優先順位付け、トラフィックシェーピング）を実行するように構成してもよい。
【００５０】
３３０において、ＲＢＯ１９５は、ＧＵＩＤ及び一組の車両データ項目をサービスセンタ１９０に送信することができる。場合によっては、ＲＢＯ１９５は、サービス接続１９７を介してＧＵＩＤ及び一組の車両データ項目を送信してもよい。場合によっては、移動車両１３５の一組の車両データ項目は、車両識別子（便名又は機体番号など）、ルート番号、出発ターミナル、到着ターミナル、及び／又はルート持続時間のうちの１つ以上を含んでもよい。ＲＢＯ１９５は、サービスセンタ１９０が、ＧＵＩＤによって識別されるデバイス１５０を特定の移動車両１３５に関連付けることを可能にするために、及び／又は車両データ項目のうちの１つ以上に基づいてデバイス１５０に供されるポータルを構成するために、ＧＵＩＤ及び車両データ項目をサービスセンタ１９０に送信することができる。例えば、サービスセンタ１９０は、ルート持続時間に基づいて、異なるプレミアムネットワークサービスオプション又は価格設定を表示するようにポータルを構成することができる。例えば、短いルートでは、サービスセンタは、プレミアムネットワークサービスへの１時間のアクセス、又はプレミアムネットワークサービスへのフルルートアクセスという２つのオプションを提供するようにポータルを構成してもよい。長いルートでは、サービスセンタは、プレミアムネットワークサービスへの１時間、３時間、又はフルルートアクセスのオプションを提供するようにポータルを構成してもよい。
【００５１】
３４０において、ネットワークアクセス端末１８５は、接続要求をサービスセンタ１９０にリダイレクトすることができる。このリダイレクトは、デバイス１５０によって要求されたいずれかのＵＲＬを、サービスセンタによって供されるサービスポータルに関連付けられたＵＲＬにリダイレクトさせることができる。場合によっては、リダイレクトはポートリダイレクトであってもよく、これにより、デバイスのＭＡＣアドレスを、リダイレクトのソースアドレスに関して、ネットワークアクセス端末のＩＰアドレス及びローカルネットワーク（例えば、ネットワークアクセス端末１８５又はアクセスネットワーク２０５のローカル）上のデバイス１５０に関連付けられたポート番号にマッピングすることができる。
【００５２】
リダイレクトされた接続要求は、暗号化されたＧＵＩＤを使用してデバイス１５０を識別することができる。例えば、暗号化されたＧＵＩＤは、サービスセンタに送信されたＨＴＴＰ要求に含むことができる。場合によっては、リダイレクトされた接続要求は、トラフィック接続１７５を介して、ネットワークアクセス端末１８５からサービスセンタ１９０に送信してもよい。サービスセンタ１９０は、その後、サービス接続１９７を介してＲＢＯ１９５と通信するデバイス１５０を識別するためにＧＵＩＤを使用することができ、それによって、サービス接続１９７上でのＭＡＣアドレスの送信を回避する。
【００５３】
３４５において、サービスセンタ１９０は、デバイス１５０にポータルを供することができる。場合によっては、サービスセンタは、ウェブコンテンツ（例えば、ハイパーテキストマークアップ言語（HyperText Markup Language、ＨＴＭＬ）、ジャバスクリプト、カスケーディングスタイルシート（Cascading Style Sheets、ＣＳＳ）など）又はＵＲＬを含むメッセージを、トラフィック接続１７５を介して送信することによって、ポータルを供することができ、ポータルをデバイス１５０上に提示させる（例えば、表示させる）ことができる。メッセージは、ＧＵＩＤを使用してデバイス１５０を識別することができる。デバイス１５０のユーザは、その後、デバイス１５０上でポータルにアクセスし、ポータルを介してプレミアムネットワークサービスを発注することができる。このようにして、デバイス１５０は、トラフィック接続１７５を介してサービスセンタ１９０と通信することを許可される。場合によっては、サービスセンタ１９０は、ポータルを介してデバイス１５０から送信された（例えば、プレミアムサービスのための）要求が正しいＧＵＩＤに確実に関連付けられるようにするために、デバイス１５０を識別するＧＵＩＤをデバイス１５０に供されるコンテンツに含むことができる。場合によっては、ＧＵＩＤ及びデバイス１５０に供されるコンテンツは、送信中に暗号化され、第三者がＧＵＩＤとデバイス１５０との関係を判定する可能性を低減する。
【００５４】
３５０において、デバイス１５０は、サービスセンタ１９０にプレミアムネットワークサービスの要求を送信することができる。場合によっては、デバイス１５０は、ポータルからのプレミアムネットワークサービスの選択の指示をユーザから受信したことに応じて、プレミアムネットワークサービスの要求を送信してもよい。例えば、選択は、支払い又は他の認可情報（例えば、クレジットカード又はユーザ名及びパスワードなどの他のアカウント情報）をポータルに入力し、情報をサービスセンタ１９０に提出することを含んでもよい。認可情報と共に、ユーザは、（例えば、ポータルウェブページ内の「受諾」オプションをクリックすることによって）ネットワークサービスを使用するための外部サービスプロバイダの諸条件を受諾する旨の指示を送信することができる。場合によっては、デバイス１５０は、トラフィック接続１７５を介してプレミアムネットワークサービスの要求を送信してもよい。場合によっては、プレミアムネットワークサービスの要求は、ＧＵＩＤを使用してデバイス１５０を識別することができる。場合によっては、ＧＵＩＤ及び要求は、送信中に暗号化され、第三者がＧＵＩＤとデバイス１５０との関係を判定する可能性を低減する。
【００５５】
３５５において、サービスセンタ１９０は、プレミアムネットワークサービス要求を受信し、処理することができる。場合によっては、サービスセンタ１９０は、デバイス１５０から受信した支払いを処理し、デバイス１５０に提供されるプレミアムネットワークサービスを識別することによって、プレミアムネットワークサービス要求を処理することができる。場合によっては、サービスセンタ１９０は、プレミアムネットワークサービス要求と共に受信したＧＵＩＤを、ＲＢＯ１９５から３３０において受信したＧＵＩＤにマッピングして、デバイス１５０を特定の移動車両１３５に関連付けることができる。
【００５６】
３６０において、サービスセンタ１９０は、サービス接続１９７を介して、プレミアムネットワークサービス認可を含むメッセージをＲＢＯ１９５に送信することができる。プレミアムネットワークサービス認可は、例えば、メッセージにＧＵＩＤを含ませることにより、ＧＵＩＤを使用してデバイス１５０を識別することができる。プレミアムネットワークサービス認可は、デバイス１５０に提供されるプレミアムネットワークサービスの（例えば、データ速度、時間、データキャップなどによって区別される１つ以上のサービスオプションから選択される）指示を含むことができる。
【００５７】
３６５において、ＲＢＯ１９５は、サービスセンタ１９０から受信したＧＵＩＤを、関連付けられたＭＡＣアドレスにマッピングすることができる。ＲＢＯ１９５は、例えば、図４を参照して説明したＧＵＩＤ／ＭＡＣデータベース４３０などの、ＧＵＩＤ／ＭＡＣデータベースを使用して、ＧＵＩＤをＭＡＣアドレスにマッピングしてもよい。
【００５８】
３７０において、ＲＢＯ１９５は、通信リンク１９２を介してＮＯＣ１７０に、かつ通信リンク１９２、１６５、１６０を介してネットワークアクセス端末１８５に、プレミアムネットワークサービス認可を含むメッセージを送信することができる。プレミアムネットワークサービス認可は、デバイス１５０のＭＡＣアドレス及び／又はＧＵＩＤを使用して、デバイス１５０を識別することができる。
【００５９】
３７５において、アクセスネットワーク２０５を、ＲＢＯ１９５から受信したメッセージに基づいて、プレミアムネットワークサービスをデバイス１５０に提供するように構成することができる。例えば、ＮＯＣ１７０を、デバイス１５０にプレミアムネットワークサービスを提供するために必要とされ得るトラフィックシェーピング又は他の機能を実行するように構成することができる。ネットワークアクセス端末１８５を、外部ネットワーク上のウェブサイトにアクセスするか、又はプレミアムネットワークサービス１５０に関連付けられた他のコンテンツにアクセスすることをデバイス１５０に許可するように構成することができる。
【００６０】
３８０において、デバイス１５０は、（例えば、ＮＯＣ１７０及びネットワークアクセス端末１８５を含む）アクセスネットワーク２０５によって構成されたプレミアムネットワークサービスへのアクセスを開始することができる。例えば、デバイス１５０は、外部ネットワーク上でアクセス可能なＵＲＬを介してコンテンツ（例えば、ウェブページ、ストリーミングビデオ、電子メール、メッセージングなど）を要求することができ、コンテンツはデバイス１５０に提供される。
【００６１】
上記のフローにおいて、デバイス１５０のＭＡＣアドレスは、サービス接続１９７上では送信されない。すなわち、制御及び発注管理情報を伝えるために使用されるＲＢＯ１９５とサービスセンタ１９０との間のネットワークメッセージングは、デバイス１５０のＭＡＣアドレス又は他のＰＩＩを含む必要がない。代わりに、サービス接続１９７上のＲＢＯ１９５とサービスセンタ１９０との間の通信は、プライバシー関連の規制に準拠するために、ＧＵＩＤを使用してデバイス１５０を識別する。
【００６２】
前述のように、場合によっては、サービスセンタ１９０は、ＲＢＯ１９５から受信した様々な車両データ項目及び／又は車両ステータス値に基づいて、プレミアムネットワークサービスオプションを表示するように、デバイス１５０上に表示されるポータルを構成してもよい。
【００６３】
場合によっては、ネットワークプロビジョニングから発注管理を分別することは、本明細書に記載されるように、サービスプロバイダが、移動車両１３５のステータスに基づいて、例えば、ＲＢＯ１９５から受信した車両のステータス値に基づいて、ネットワークサービスの変更又は移動車両１３５上のデバイス１５０のためのポータル構成の変更をＲＢＯ１９５に通知することを可能にし、又は通知することを要求することができる。例えば、場合によっては、高度１０，０００フィート未満の航空機上のデバイス１５０に対しては、ネットワークサービスを禁止又は制限することができる。この場合、サービスセンタ１９０は、航空機（例えば、移動車両１３５）が１０，０００フィート未満であることを示す車両ステータス値を受信することに基づいて、１つ以上のデバイス１５０のネットワークサービスを無効にする要求をＲＢＯ１９５に送信することができる。場合によっては、ＲＢＯ１９５は、１つ以上のデバイス１５０に対してネットワークサービスを無効にする要求を受信し、その要求の指示をＮＯＣ１７０及びネットワークアクセス端末１８５に送信することができる。これにより、ＮＯＣ１７０及びネットワークアクセス端末１８５を、１つ以上のデバイス（複数可）１５０に対してネットワークサービスを無効にするように構成することができる。
【００６４】
場合によっては、ネットワークサービスプロバイダが、デフォルトのネットワークサービスにアクセスする前にユーザに諸条件を受け入れることを要求する場合、ＲＢＯ１９５は、初期接続要求を受信したことに応答して、接続要求のＭＡＣアドレスがＧＵＩＤ／ＭＡＣデータベース内のＧＵＩＤに関連付けられている（マッピングされている）かどうか、例えば、デバイス１５０が以前にアクセスネットワーク２０５からネットワークサービスを受信したことがあるかを判定することができる。ＭＡＣアドレスがＧＵＩＤに関連付けられている場合、ＲＢＯ１９５は、マッピングに基づいて、このデバイス１５０が、諸条件を受諾するために以前に使用されたかどうかを判定することができる。例えば、ＲＢＯ１９５は、ＧＵＩＤ又はＧＵＩＤに関連付けられたユーザアカウントが、以前に諸条件を受諾するために使用されたかどうかを判定することができる。場合によっては、ＲＢＯ１９５が、デバイス１５０又はデバイスに関連付けられたユーザアカウントが諸条件を受諾するために以前に使用されたと判定した場合、ＲＢＯ１９５は、このデバイス１５０からの諸条件の受諾を要求することを控えることができる。場合によっては、ＲＢＯ１９５が、そのデバイス１５０が諸条件を受諾するために以前に使用されていないと判定した場合、ＲＢＯ１９５は、例えば、デフォルトのネットワークサービスをデバイス１５０に提供する前に、このデバイス１５０からの諸条件の受諾を要求することができる。
【００６５】
図４は、本開示の態様による、分別発注管理のための移動接続プロビジョニングをサポートし得るアクセスネットワークコンピューティングシステム４０５のブロック図４００を示す。アクセスネットワークコンピューティングシステム４０５は、例えば、ＮＯＣ（ネットワーク動作センタ）１７０及び／又はＲＢＯ（リモートバックオフィス）１９５に含まれるか、又はそれによってアクセスすることができる。アクセスネットワークコンピューティングシステム４０５は、プロセッサ４１０、メモリ４１５、ＮＰＭ（ネットワークプロビジョニングマネージャ（network provisioning manager））４２０、ネットワークインターフェース４２５、及びＧＵＩＤ／ＭＡＣデータベース４３０を含むことができる。これらの構成要素の各々は、１つ以上のバス４４５上で直接又は間接的に互いに通信することができる。
【００６６】
メモリ４１５は、ランダムアクセスメモリ（random access memory、ＲＡＭ）及び／又は読み出し専用メモリ（read-only memory、ＲＯＭ）を含むことができる。メモリ４１５は、（例えば、Ｌｉｎｕｘ又はＷｉｎｄｏｗｓカーネル上に構築された）オペレーティングシステム（operating system、ＯＳ）４３５を格納することができる。メモリ４１５はまた、実行されるとプロセッサ４１０に、分別発注管理のための移動接続プロビジョニングに関連して本明細書に記載されている様々な機能を実行させるように構成されている命令を含むコンピュータ読み取り可能かつコンピュータ実行可能なコード４４０を記憶することができる。代替的に、コード４４０は、プロセッサ４１０によって直接実行可能でなくてもよいが、コンピューティングシステム４０５に（例えば、コンパイル及び実行されるとき）、本明細書に記載される機能のうちの１つ以上を実行させるように構成してもよい。ネットワークインターフェース４２５は、外部ネットワーク１２０などのネットワークと通信するために使用することができる。ネットワークインターフェース４２５は、例えば、接続要求の指示を受信するために使用することができ、ＧＵＩＤを含むメッセージをネットワークアクセス端末１８５及び／又はＮＯＣ１７０に送信するために使用することができる。ネットワークインターフェース４２５は、ＭＡＣアドレス及び／又はＧＵＩＤを使用してデバイス１５０を識別する、デバイスに対するネットワークサービスの指示を、ネットワークアクセス端末１８５及び／又はＮＯＣ１７０に送信することができる。
【００６７】
ＮＰＭ４２０は、例えば、適切なネットワークサービスを提供するようにアクセスネットワークを構成するためにネットワーク構成情報を判定することによって、デバイス１５０からのネットワークアクセスの要求及びサービスセンタ１９０からのプレミアムネットワークサービスの認可を処理することができる。
【００６８】
ＮＰＭ４２０は、ＭＡＣアドレスに関連付けることのできるＧＵＩＤを生成してもよい。場合によっては、ＮＰＭ４２０は、乱数生成器、時間ベースのＧＵＩＤ生成アルゴリズム、又は別のＧＵＩＤ生成アルゴリズムを使用して、ＧＵＩＤを生成することができる。ＮＰＭ４２０は、ＧＵＩＤ／ＭＡＣデータベース４３０にＧＵＩＤ／ＭＡＣの対を記憶することができる。
【００６９】
場合によっては、ＧＵＩＤ／ＭＡＣデータベース４３０の一部又は全てを消去することができる。場合によっては、ＧＵＩＤ／ＭＡＣデータベースは、毎月などの定期的な時間間隔で消去してもよい（例えば、ＧＵＩＤ／ＭＡＣの対の全て又は一部を除去又は削除してもよい）。場合によっては、ＧＵＩＤ／ＭＡＣの対は、ＮＰＭ４２０によってそれぞれのＧＵＩＤが生成された時間から所定時間が経過した後に、ＧＵＩＤ／ＭＡＣデータベースから消去してもよい。場合によっては、例えば、移動車両１３５上のデバイス１５０に関連付けられたＧＵＩＤ／ＭＡＣの対は、例えば、移動車両１３５の旅行の終了時に、ＧＵＩＤ／ＭＡＣデータベースから消去してもよい。
【００７０】
場合によっては、コンピューティングシステム４０５の構成要素は、単一の物理的場所又はエンクロージャ内に配置してもよい。場合によっては、コンピューティングシステム４０５の構成要素は、複数の物理的場所又はエンクロージャにわたって分散してもよい。例えば、ＮＰＭ４２０及びＧＵＩＤ／ＭＡＣ対データベース４３０は、プロセッサ４１０、ネットワークインターフェース４２５、又はコンピューティングシステム４０５の他の構成要素の場所とは異なる種々の場所に駐在してもよい。場合によっては、コンピューティングシステム４０５の構成要素は、ＲＢＯ１９５、ＮＯＣ１７０、及び／又はＮＯＣ１７０内の別の場所にわたって分散してもよい。
【００７１】
図５は、本開示の態様に基づく、モバイルデバイスプロビジョニングをサポートする方法５００を説明するフローチャートを示す。この方法５００は、少なくとも１つの外部ネットワーク（例えば、インターネット）へのトラフィック接続を有するネットワーク動作センタを含むアクセスネットワークにおいて実行することができ、このアクセスネットワークは、アクセスネットワークの外部にあるサービスセンタ（例えば、サービスセンタ１９０）へのサービス接続（例えば、サービス接続１９７）を有する。方法５００の動作は、図１〜４を参照して説明したように、アクセスネットワーク（例えば、ＮＯＣ１７０、ＲＢＯ１９５、ネットワークアクセス端末１８５、及び／又はアクセスネットワークコンピューティングシステム４０５を含み得るアクセスネットワーク２０５）によって実行することができる。
【００７２】
５０５において、アクセスネットワークは、移動車両（例えば、移動車両１３５）上のネットワークアクセス端末（例えば、ネットワークアクセス端末１８５）から、移動車両上のデバイス（例えば、デバイス１５０）に対する接続要求の指示を受信することができ、この接続要求は、ＭＡＣアドレスを使用してデバイスを識別する。
【００７３】
５１０において、アクセスネットワークは、ＭＡＣアドレスに関連付けられたＧＵＩＤを生成することができる。場合によっては、アクセスネットワークは、ＮＰＭ４２０などのネットワークプロビジョニングマネージャを使用して、ＧＵＩＤを生成してもよい。
【００７４】
５１５において、アクセスネットワークは、ネットワークアクセス端末にＧＵＩＤを含む第１のメッセージを送信することができ、このネットワークアクセス端末は、トラフィック接続を介してサービスセンタ（例えば、サービスセンタ１９０）に接続要求をリダイレクトする。場合によっては、リダイレクトされた接続要求は、ＧＵＩＤを含む。場合によっては、アクセスネットワークのＲＢＯ（例えば、ＲＢＯ１９５）は、第１のメッセージをネットワークアクセス端末に送信してもよい。アクセスネットワークは、（暗号化された）ＧＵＩＤを第１のメッセージで送信する前に、ＧＵＩＤを暗号化することができる。場合によっては、ＧＵＩＤは、例えば、いずれかの適切な暗号化アルゴリズムを使用して、プロセッサ４１０によって暗号化してもよい。
【００７５】
５２０において、アクセスネットワークは、サービス接続を介してサービスセンタから、デバイスに対する第１のネットワークサービスを指示する第２のメッセージを受信することができ、この第２のメッセージは、ＧＵＩＤに基づいてデバイスを識別する。第１のネットワークサービスは、例えば、プレミアムネットワークサービスであり得る。
【００７６】
５２５において、アクセスネットワークを、第２のメッセージに基づいて、デバイスに対して第１のネットワークサービスを提供するように構成することができる。いくつかの事例において、アクセスネットワークは、ネットワークアクセス端末及び／又はＮＯＣ（ネットワーク動作センタ）を構成することによって、図１〜４に関連して説明されるように第１のネットワークサービスを提供するように構成することができる。
【００７７】
添付図面と関連して上述された詳細な説明は、例を記載しており、実施され得るか又は請求項の範囲内にある例のみを必ずしも表していない。「例」という用語は、本明細書において使用される場合、「例、事例、又は実例としての役割を果たすこと」を意味し、「好ましい」又は「他の例よりも有利である」ことを意味しない。詳細な説明には、記載された技法の理解を提供するための具体的な詳細内容が含まれる。しかしながら、これらの技法は、これらの具体的な詳細内容なしに実践することができる。いくつかの事例では、周知の構造体及び装置が、ブロック図の形式で示され、記載された例の概念を曖昧にすることを回避している。
【００７８】
情報及び信号は、様々な異なる技術及び技法のいずれかを使用して表してもよい。例えば、上記の説明全体を通じて参照され得るデータ、命令、コマンド、情報、信号、ビット、記号、及びチップは、電圧、電流、電磁波、磁場若しくは磁性粒子、光場若しくは光学粒子、又はこれらの任意の組み合わせによって表すことができる。
【００７９】
本明細書の開示に関連して説明される様々な例示的なブロック及び構成要素は、汎用プロセッサ、デジタル信号プロセッサ（digital signal processor、ＤＳＰ）、ＡＳＩＣ、ＦＰＧＡ若しくは他のプログラマブルロジックデバイス、別個のゲート若しくはトランジスタ論理、別個のハードウェア構成要素、又は本明細書に記載される機能を実行するように設計された、これらのいずれかの組み合わせで実現又は実行することができる。汎用プロセッサはマイクロプロセッサであってもよいが、代替的に、プロセッサは、任意の従来のプロセッサ、コントローラ、マイクロコントローラ、又はステートマシンであってもよい。プロセッサはまた、コンピューティングデバイスの組み合わせ、例えば、ＤＳＰとマイクロプロセッサとの組み合わせ、複数のマイクロプロセッサ、ＤＳＰコアと組み合わせたマイクロプロセッサ、又はいずれかの他のそのような構成として実現してもよい。
【００８０】
本明細書で説明される関数は、ハードウェア、プロセッサによって実行されるソフトウェア、ファームウェア、又はこれらのいずれかの組み合わせで実現することができる。プロセッサによって実行されるソフトウェアで実現される場合、機能は、コンピュータ可読媒体上の命令又はコードとして格納されるか、又は送信することができる。他の例及び実施態様は、本開示及び添付の請求項の範囲内にある。例えば、ソフトウェアの性質により、上述の機能は、プロセッサによって実行されるソフトウェア、ハードウェア、ファームウェア、ハード配線、又はこれらのいずれかの組み合わせを使用して実現することができる。また、機能を実施する特徴は、様々な位置に物理的に配置してもよく、機能の一部が異なる物理的位置において実現されるように分散することも含む。本明細書で使用されるように、「及び／又は」という用語は、２つ以上の項目のリストで使用される場合、列挙された項目のいずれか１つがそれ自体によって使用され得ること、又は列挙された項目のうちの２つ以上のいずれかの組み合わせを用いることができることを意味する。例えば、組成物が成分Ａ、Ｂ、及び／又はＣを含有するものとして記載されている場合、組成物はＡ単独、Ｂ単独、Ｃ単独、Ａ及びＢの組み合わせ、Ａ及びＣの組み合わせ、Ｂ及びＣの組み合わせ、又はＡ、Ｂ、及びＣの組み合わせを含有することができる。また、特許請求の範囲も含めて本明細書で使用されるとき、項目の列挙（例えば、「のうちの少なくとも１つ」又は「のうちの１つ又は複数」などの熟語によって前置きされる項目の列挙）で使用されるときの「又は」は、離接的な列挙を示し、その結果、例えば、「Ａ、Ｂ、又はＣのうちの少なくとも１つ」とは、Ａ若しくはＢ若しくはＣ、又はＡＢ若しくはＡＣ若しくはＢＣ、又はＡＢＣ（すなわち、ＡかつＢかつＣ）を意味する。
【００８１】
コンピュータ可読媒体は、コンピュータ記憶媒体と、コンピュータプログラムの１つ場所から別の場所への転送を容易にするいずれかの媒体を含む通信媒体との両方を含む。記憶媒体は、汎用又は専用コンピュータによってアクセスすることができるいずれかの利用可能な媒体であってもよい。例として、限定するものではないが、コンピュータ可読媒体としては、ＲＡＭ、ＲＯＭ、ＥＥＰＲＯＭ、ＣＤ−ＲＯＭ、又は他の光ディスク記憶装置、磁気ディスク記憶装置、若しくは他の磁気記憶装置、又は命令若しくはデータ構造の形態で望ましいプログラムコードを搬送若しくは記憶するために使用することができ、汎用又は専用コンピュータ、或いは汎用又は専用プロセッサによってアクセスすることができるいずれかの他の媒体を挙げることができる。また、いずれかの接続は、コンピュータ可読媒体と適切に称される。例えば、ソフトウェアが、同軸ケーブル、光ファイバケーブル、ツイストペア、デジタル加入者回線（digital subscriber line、ＤＳＬ）、又は赤外線、無線、マイクロ波などの無線技術を使用してウェブサイト、サーバ、又は他のリモートソースから送信される場合、同軸ケーブル、光ファイバケーブル、ツイストペア、ＤＳＬ、又は赤外線、無線、マイクロ波などの無線技術は、媒体の定義に含まれる。本明細書で使用されるように、ディスク（Disk）及びディスク（Disc）には、コンパクトディスク（compact disc、ＣＤ）、レーザディスク、光ディスク、デジタル多目的ディスク（digital versatile disc、ＤＶＤ）、フロッピーディスク及びブルーレイディスクが含まれ、ディスクは通常、磁気的にデータを再現し、一方、ディスクはレーザを用いて光学的にデータを再現する。上記の組み合わせもまた、コンピュータ可読媒体の範囲内に含まれる。
【００８２】
本明細書で使用されるように、「に基づく」という語句は、排他的な条件の集合を参照するものとして解釈されるべきではない。例えば、「条件Ａに基づく」と記載される例示的な工程は、本開示の範囲から逸脱することなく、条件Ａ及び条件Ｂの両方に基づき得る。換言すれば、本明細書で使用されるように、「に基づく」という語句は、「少なくとも部分的に基づく」という語句と同じように解釈されるものとする。
【００８３】
本開示の以前の説明は、当業者が本開示を作製又は使用することができるように提供されている。本開示に対する様々な修正が、当業者にとって容易に明らかであり、本明細書に定義された包括的な原理が、本開示の範囲から逸脱することなく他のバリエーションに適用することができる。したがって、本開示は、本明細書に記載される例及び設計に限定されるべきではなく、本明細書に開示される原理及び新規の特徴と一致する最も広い範囲を与えられるものである。
【図１】
2021531706.tif 000003
【図２】
2021531706.tif 000004
【図３】
2021531706.tif 000005
【図４】
2021531706.tif 000006
【図５】
2021531706.tif 000007
【国際調査報告】
2021531706.tif 000008
2021531706.tif 000009
2021531706.tif 000010